【手続補正書】
【提出日】平成18年1月12日(2006.1.12)
【手続補正１】
【補正対象書類名】特許請求の範囲
【補正対象項目名】全文
【補正方法】変更
【補正の内容】
【特許請求の範囲】
【請求項１】
光源と、
該光源からのレーザ光を記録用光ディスクに照射する対物レンズと、
該記録用光ディスクが未記録の状態である場合には、受光した反射レーザ光から第１の信号を検出し、該記録用光ディスクが記録済の状態である場合には、受光した反射レーザ光から第２の信号を検出する光検出器と、
該第１の信号及び該第２の信号により制御される球面収差補正素子と
を備えたことを特徴とする光ディスク装置。
【請求項２】
請求項１において、
前記信号は、球面収差誤差信号であることを特徴とする光ディスク装置。
【請求項３】
請求項１において、
前記第１の信号は、プッシュプル信号であることを特徴とする光ディスク装置。
【請求項４】
請求項１において、
前記第２の信号は、再生情報信号であることを特徴とする光ディスク装置。
【請求項５】
請求項１において、
前記球面収差補正素子は、ビームエキスパンダまたは液晶素子であることを特徴とする光ディスク装置。
【請求項６】
請求項１において、
前記光源と前記対物レンズとの間に０次回折光、±１次回折光に分離するホログラム素子を配置することを特徴とする光ディスク装置。
【請求項７】
請求項６において、
前記ホログラム素子はレンズであることを特徴とする光ディスク装置。
【請求項８】
レーザ光を未記録の記録用光ディスクに照射し、
該未記録の記録用光ディスクからの反射レーザ光から第１の信号を検出し、
該第１の信号により球面収差を制御し、
該未記録の記録用光ディスクに記録し、
該記記録済の記録用光ディスクにレーザ光を照射し、
該記録済の記録用光ディスクからの反射レーザ光から第２の信号を検出し、
該第２の信号により球面収差を制御することを特徴とする記録用光ディスクの球面収差補正方法。
【請求項９】
請求項８において、
前記信号は、球面収差誤差信号であることを特徴とする記録用光ディスクの球面収差補正方法。
【請求項１０】
請求項８において、
前記第１の信号は、プッシュプル信号であることを特徴とする記録用光ディスクの球面収差補正方法。
【請求項１１】
請求項８において、
前記第２の信号は、再生情報信号であることを特徴とする記録用光ディスクの球面収差補正方法。
【請求項１２】
光ピックアップを用いることにより、光ディスク上に光束を集光し、該光ディスクからの反射光束を光検出器で検出し、該光検出器の出力信号からフォーカス誤差信号と、プッシュプル法により、トラッキング誤差信号を検出する光ディスク記録再生方法において、
インフォーカス状態とアウトフォーカス状態とでのプッシュプル信号と再生情報信号とを夫々検出し、
インフォーカス状態とアウトフォーカス状態とでの該プッシュプル信号の振幅に応じた第１の球面収差誤差信号を検出し、インフォーカス状態とアウトフォーカス状態とでの該再生情報信号の振幅に応じた第２の球面収差誤差信号を検出し、該第１，第２の球面収差誤差信号に基づいて球面収差を補正することを特徴とする光ディスク記録再生方法。
【請求項１３】
光ピックアップを用いることにより、光ディスク上に０次回折光束と収束発散状態が互いに異なる±１次回折光束との３本の光束を集光し、該光ディスクからの３本の反射光束を光検出器での該当する夫々の受光領域で検出し、該光検出器の出力信号からフォーカス誤差信号とトラッキング誤差信号を検出する光ディスク記録再生方法において、
＋１次回折光束の該光検出器での受光によるプッシュプル信号の振幅と−１次回折光束の該光検出器での受光によるプッシュプル信号の振幅との差に応じた第１の球面収差誤差信号と、＋１次回折光束の該光検出器での受光による再生信号の振幅と−１次回折光束の該光検出器での受光による再生信号の振幅との差に応じた第２の球面収差誤差信号とを生成し、該第１，第２の球面収差誤差信号に基づいて球面収差を補正することを特徴とする光ディスク記録再生方法。
【請求項１４】
光源と、該光源から放射された光束を光ディスクの情報記録層に集光する対物レンズと、対物レンズアクチュエータと、該対物レンズに入射する光束の球面収差を所定の値に調整可能とする球面収差補正素子と、該光ディスクからの反射光束を受光し、フォーカス誤差信号と、プッシュプル法により、トラッキング誤差信号とを検出可能とする光検出器とからなる光ピックアップと、
該対物レンズアクチュエータを駆動してインフォーカス状態とアウトフォーカス状態とに設定するための駆動回路と、
設定された該インフォーカス状態と該アウトフォーカス状態毎に、該光検出器の出力からプッシュプル信号と再生情報信号とを検出する手段と、
該インフォーカス状態と該アウトフォーカス状態毎に検出された該プッシュプル信号夫々の振幅に応じた第１の球面収差誤差信号を生成し、該インフォーカス状態と該アウトフォーカス状態毎に検出された該再生情報信号夫々の振幅に応じた第２の球面収差誤差信号を生成する手段と、
該第１，第２の球面収差誤差信号に応じて該球面収差補正素子を制御し、光スポットの球面収差を補正する手段とを備えたことを特徴とする光ディスク装置。
【請求項１５】
光源と、該光源から放射された光束を０次回折光束と互いに異なるレンズパワーで、収束発散状態が互いに異なる±１次回折光束との３本の光束に分離するホログラム素子と、該３本の光束を光ディスクの情報記録層に集光する対物レンズと、該対物レンズに入射する光束の球面収差を所定の値に調整可能とする球面収差補正素子と、該光ディスクからの反射光束を受光し、フォーカス誤差信号と、プッシュプル法により、トラッキング誤差信号とを検出可能とする光検出器とからなる光ピックアップと、
該＋１次回折光束の該光検出器での受光によるプッシュプル信号の振幅と該−１次回折光束の該光検出器での受光によるプッシュプル信号の振幅との差に応じた第１の球面収差誤差信号を生成する手段と、
該＋１次回折光束の該光検出器での受光による再生信号の振幅と該−１次回折光束の該光検出器での受光による再生信号の振幅との差に応じた第２の球面収差誤差信号とを生成する手段と、
該第１，第２の球面収差誤差信号に応じて該球面収差補正素子を制御し、光スポットの球面収差を補正する手段とを備えたことを特徴とする光ディスク装置。
【請求項１６】
光源と、
該光源から放射された光束を０次回折光束と互いに異なるレンズパワーで、収束発散状態が互いに異なる±１次回折光束との３本の光束に分離するホログラム素子と、
該３本の光束を光ディスクの情報記録層に集光する対物レンズと、
該対物レンズに入射する光束の球面収差を所定の値に調整可能とする球面収差補正素子と、
該光ディスクから反射された該０次回折光束と＋１次回折光束と−１次回折光束とを互いに異なる受光領域で受光し、夫々の受光量に応じてフォーカス誤差信号と、プッシュプル法により、トラッキング誤差信号とを検出可能とする光検出器とを備え、
該光検出器の該±１次回折光束の受光領域でのカットオフ周波数ｆｃが、
ｆｃ＞ｆｎ
（但し、ｆｎは該光ディスクに記録されている最長マークと最長
スペースの組合せに対応する周波数）
を満たすことを特徴とする光ピックアップ。
【手続補正２】
【補正対象書類名】明細書
【補正対象項目名】発明の名称
【補正方法】変更
【補正の内容】
【発明の名称】記録用光ディスクの球面収差補正方法，光ディスク記録再生方法，光ディスク装置及び光ピックアップ
【手続補正３】
【補正対象書類名】明細書
【補正対象項目名】０００１
【補正方法】変更
【補正の内容】
【０００１】
本発明は、光ディスクに係り、特に、光ディスクの基板厚ずれなどによって発生する球面収差を補正可能とした記録用光ディスクの球面収差補正方法，光ディスク記録再生方法，光ディスク装置及び光ピックアップに関する。
【手続補正４】
【補正対象書類名】明細書
【補正対象項目名】００１７
【補正方法】変更
【補正の内容】
【００１７】
本発明の目的は、かかる問題を解消し、未記録の追記型光ディスクに対しても、精度の良い安定した球面収差の補正を可能として記録品質，再生品質が向上した記録用光ディスクの球面収差補正方法，光ディスク記録再生方法，光ディスク装置及び光ピックアップを提供することにある。
【手続補正５】
【補正対象書類名】明細書
【補正対象項目名】００１８
【補正方法】変更
【補正の内容】
【００１８】
本発明の他の目的は、簡便な部品構成でもって、記録／再生時にリアルタイムで球面収差の検出及び補正を行なうことができるようにして記録品質，再生品質が向上した記録用光ディスクの球面収差補正方法，光ディスク記録再生方法，光ディスク装置及び光ピックアップを提供することにある。
【手続補正６】
【補正対象書類名】明細書
【補正対象項目名】００１９
【補正方法】変更
【補正の内容】
【００１９】
上記目的を達成するために、本発明による光ディスク装置は、光源と、該光源からのレーザ光を記録用光ディスクに照射する対物レンズと、該記録用光ディスクが未記録の状態である場合には、受光した反射レーザ光から第１の信号を検出し、該記録用光ディスクが記録済の状態である場合には、受光した反射レーザ光から第２の信号を検出する光検出器と、該第１の信号及び該第２の信号により制御される球面収差補正素子とを備えたものである。
そして、上記信号は、球面収差誤差信号であることを特徴とするものである。
また、上記第１の信号は、プッシュプル信号であることを特徴とするものである。
また、上記第２の信号は、再生情報信号であることを特徴とするものである。
また、上記球面収差補正素子は、ビームエキスパンダまたは液晶素子であることを特徴とするものである。
また、上記光源と上記対物レンズとの間に０次回折光、±１次回折光に分離するホログラム素子を配置することを特徴とするものである。
また、上記ホログラム素子はレンズであることを特徴とするものである。
【手続補正７】
【補正対象書類名】明細書
【補正対象項目名】００２０
【補正方法】変更
【補正の内容】
【００２０】
上記目的を達成するために、本発明による記録用光ディスクの球面収差補正方法は、レーザ光を未記録の記録用光ディスクに照射し、該未記録の記録用光ディスクからの反射レーザ光から第１の信号を検出し、該第１の信号により球面収差を制御し、該未記録の記録用光ディスクに記録し、該記記録済の記録用光ディスクにレーザ光を照射し、該記録済の記録用光ディスクからの反射レーザ光から第２の信号を検出し、該第２の信号により球面収差を制御するものである。
そして、上記信号は、球面収差誤差信号であることを特徴とするものである。
また、上記第１の信号は、プッシュプル信号であることを特徴とするものである。
また、上記第２の信号は、再生情報信号であることを特徴とするものである。
上記目的を達成するために、本発明は、光ピックアップを用いることにより、光ディスク上に光束を集光し、該光ディスクからの反射光束を光検出器で検出し、該光検出器の出力信号からフォーカス誤差信号と、プッシュプル法により、トラッキング誤差信号を検出する光ディスク記録再生方法であって、インフォーカス状態とアウトフォーカス状態とでのプッシュプル信号と再生情報信号とを夫々検出し、インフォーカス状態とアウトフォーカス状態とでの該プッシュプル信号の振幅に応じた第１の球面収差誤差信号を検出し、インフォーカス状態とアウトフォーカス状態とでの該再生情報信号の振幅に応じた第２の球面収差誤差信号を検出し、該第１，第２の球面収差誤差信号に基づいて球面収差を補正することを特徴とするものである。
【手続補正８】
【補正対象書類名】明細書
【補正対象項目名】００２１
【補正方法】変更
【補正の内容】
【００２１】
上記目的を達成するために、本発明は、光ピックアップを用いることにより、光ディスク上に０次回折光束と収束発散状態が互いに異なる±１次回折光束との３本の光束を集光し、該光ディスクからの３本の反射光束を光検出器での該当する夫々の受光領域で検出し、該光検出器の出力信号からフォーカス誤差信号とトラッキング誤差信号を検出する光ディスク記録再生方法であって、＋１次回折光束の該光検出器での受光によるプッシュプル信号の振幅と−１次回折光束の該光検出器での受光によるプッシュプル信号の振幅との差に応じた第１の球面収差誤差信号と、＋１次回折光束の該光検出器での受光による再生信号の振幅と−１次回折光束の該光検出器での受光による再生信号の振幅との差に応じた第２の球面収差誤差信号とを生成し、該第１，第２の球面収差誤差信号に基づいて球面収差を補正するものである。
【手続補正９】
【補正対象書類名】明細書
【補正対象項目名】００２２
【補正方法】変更
【補正の内容】
【００２２】
上記目的を達成するために、本発明による光ディスク装置は、光源と、該光源から放射された光束を光ディスクの情報記録層に集光する対物レンズと、対物レンズアクチュエータと、該対物レンズに入射する光束の球面収差を所定の値に調整可能とする球面収差補正素子と、該光ディスクからの反射光束を受光し、フォーカス誤差信号と、プッシュプル法により、トラッキング誤差信号とを検出可能とする光検出器とからなる光ピックアップと、該対物レンズアクチュエータを駆動してインフォーカス状態とアウトフォーカス状態とに設定するための駆動回路と、設定された該インフォーカス状態と該アウトフォーカス状態毎に、該光検出器の出力からプッシュプル信号と再生情報信号とを検出する手段と、該インフォーカス状態と該アウトフォーカス状態毎に検出された該プッシュプル信号夫々の振幅に応じた第１の球面収差誤差信号を生成し、該インフォーカス状態と該アウトフォーカス状態毎に検出された該再生情報信号夫々の振幅に応じた第２の球面収差誤差信号を生成する手段と、該第１，第２の球面収差誤差信号に応じて該球面収差補正素子を制御し、光スポットの球面収差を補正する手段とを備えたものである。
【手続補正１０】
【補正対象書類名】明細書
【補正対象項目名】００２３
【補正方法】変更
【補正の内容】
【００２３】
上記目的を達成するために、本発明による光ディスク装置は、光源と、該光源から放射された光束を０次回折光束と互いに異なるレンズパワーで、収束発散状態が互いに異なる±１次回折光束との３本の光束に分離するホログラム素子と、該３本の光束を光ディスクの情報記録層に集光する対物レンズと、該対物レンズに入射する光束の球面収差を所定の値に調整可能とする球面収差補正素子と、該光ディスクからの反射光束を受光し、フォーカス誤差信号と、プッシュプル法により、トラッキング誤差信号とを検出可能とする光検出器とからなる光ピックアップと、該＋１次回折光束の該光検出器での受光によるプッシュプル信号の振幅と該−１次回折光束の該光検出器での受光によるプッシュプル信号の振幅との差に応じた第１の球面収差誤差信号を生成する手段と、該＋１次回折光束の該光検出器での受光による再生信号の振幅と該−１次回折光束の該光検出器での受光による再生信号の振幅との差に応じた第２の球面収差誤差信号とを生成する手段と、該第１，第２の球面収差誤差信号に応じて該球面収差補正素子を制御し、光スポットの球面収差を補正する手段とを備えたものである。
【手続補正１１】
【補正対象書類名】明細書
【補正対象項目名】００２４
【補正方法】変更
【補正の内容】
【００２４】
上記目的を達成するために、本発明による光ピックアップは、光源と、該光源から放射された光束を０次回折光束と互いに異なるレンズパワーで、収束発散状態が互いに異なる±１次回折光束との３本の光束に分離するホログラム素子と、該３本の光束を光ディスクの情報記録層に集光する対物レンズと、該対物レンズに入射する光束の球面収差を所定の値に調整可能とする球面収差補正素子と、該光ディスクから反射された該０次回折光束と＋１次回折光束と−１次回折光束とを互いに異なる受光領域で受光し、夫々の受光量に応じてフォーカス誤差信号と、プッシュプル法により、トラッキング誤差信号とを検出可能とする光検出器とを備え、該光検出器の該±１次回折光束の受光領域でのカットオフ周波数ｆｃが、
ｆｃ＞ｆｎ
（但し、ｆｎは該光ディスクに記録されている最長マークと最長
スペースの組合せに対応する周波数）
を満たすことを特徴とするものである。
【手続補正１２】
【補正対象書類名】明細書
【補正対象項目名】００６４
【補正方法】変更
【補正の内容】
【００６４】
以上は、未記録追記型の光ディスクの記録の際に関するものであったが、次に、光ディスク２０から記録されている情報を再生する際の球面収差及びフォーカスオフセットの初期調整手順について説明する。図７はかかる情報再生の際の球面収差及びフォーカスオフセットの初期調整手順の一具体例を示すフローチャートであり、図４に対応するステップには同一符号をつけて重複する説明を省略する。